(57)【要約】【課題】ベルマウスとドレンパンを一体に金型成型して、組立手間およびコストの低減に寄与する空気調和機の室内機を提供する。【解決手段】室内機本体Ｓの前面に吸込み口１８を備え、本体内に吸込み口に対向して室内熱交換器５を配置し、室内熱交換器の背面側にベルマウス４を介して室内送風機３を配置し、室内熱交換器の下部にはドレンパン６を配置する。ベルマウスとドレンパンは、ヒンジ部Ｈを介して一体に金型成型する。ヒンジ部は、ベルマウスとドレンパンに平行な複数条の折り目１ｃ〜３ｃを有する。折り目に沿ってヒンジ部を折り曲げることで、ベルマウス下端部とドレンパン上面との間にヒンジ部が挟み込まれ、ドレンパン内にベルマウスを立設できる。【選択図】    図４
2011247546.tif 000002
【特許請求の範囲】
【請求項１】
前面に吸込み口を備えた室内機本体と、
この室内機本体内に収容され、上記吸込み口に対向して配置される室内熱交換器と、この室内熱交換器の背面側に対向しベルマウスを介して配置される室内送風機と、上記室内熱交換器の下部に配置され、室内熱交換器から滴下するドレン水を受けるドレンパンとを具備し、
上記ベルマウスとドレンパンは、これらベルマウスとドレンパンに平行な、複数条の折り目を有するヒンジ部を介して一体に金型成型され、
上記ヒンジ部を折り目に沿って折り曲げることで、上記ベルマウス下端部と上記ドレンパン上面との間にヒンジ部が挟み込まれ、かつドレンパン内にベルマウスが立設される
ことを特徴とする空気調和機の室内機。
【発明の詳細な説明】
【技術分野】
【０００１】
本発明の実施形態は、少なくとも、ベルマウスとドレンパンを備えた空気調和機の室内機に関する。
【背景技術】
【０００２】
空気調和機において、たとえば床置きタイプの室内機本体内には、室内熱交換器が収容され、この背面側にベルマウスを介して室内送風機が配置される。室内送風機は駆動することにより前面側（軸方向）から吸込んだ空気を、周方向へ吹出す。したがって、ベルマウスは室内機本体内に吸込まれた空気を室内熱交換器に集中するよう案内する。
【０００３】
その一方で、室内熱交換器の下部にはドレンパンが配置される。冷房運転時に室内熱交換器に生成され、滴下するドレン水をドレンパンが受ける。ドレンパンにはドレンホースが接続されていて、ドレンパンが受けたドレン水はドレンホースを介して屋外へ排出される。
【０００４】
上記ベルマウスとドレンパンについてなお説明すると、上記ベルマウスは略中央部に円形状の開口部を備えた平面板体であり、上記室内送風機に対向するよう立位状態で取付けられる。上記ドレンパンは上面が開口する皿状のものであり、水平状態に置かれて、この上部に室内熱交換器が載置される。
【先行技術文献】
【特許文献】
【０００５】
【特許文献１】特開平１１−５１４１５号公報
【発明の概要】
【発明が解決しようとする課題】
【０００６】
従来、上記ベルマウスと、上記ドレンパンは別体に製作され、組立現場において、ベルマウスの下端部前面側に沿ってドレンパンが取付けられる。したがって、それぞれの製作手間と取付け手間がかかるうえに、ベルマウスがドレンパンの背面側の壁面を兼ね、互いに重なり合うため、室内機本体の前後方向の厚みが嵩んで薄型化を阻害している。
【０００７】
室内機本体の配置スペースを可能な限り小さくする要望から、ベルマウスとドレンパンとを一体化することが図られるようになった。すなわち、ベルマウスの下端部にドレンパンを一体に突出させ、ベルマウス下端部とドレンパン一部を共通化する。これらの厚みが薄くなり、室内機本体の薄型化を得る。
【０００８】
当然、ベルマウスおよびドレンパンは、合成樹脂材を用いて金型成型されるが、構成上、ベルマウスの板面方向に対してドレンパンを直角方向へ突出させなければならない。しかも、ドレンパンは皿状に成型する必要があり、皿状部分について通常の金型成型装置では型抜きが行えない。
【０００９】
そこで、ドレンパンの皿状成型部分のみに対して別の移動金型を用いれば成型が可能となるが、金型設計が複雑化し、部品費が嵩んでコストに悪影響を及ぼしてしまう。
【課題を解決するための手段】
【００１０】
実施形態によれば、室内機本体の前面に吸込み口を備える。この室内機本体内には、吸込み口に対向して室内熱交換器が配置される。室内熱交換器の背面側に対向し、ベルマウスを介して室内送風機が配置される。室内熱交換器の下部には、室内熱交換器から滴下するドレン水を受けるドレンパンが配置される。  
上記ベルマウスとドレンパンは、ヒンジ部を介して一体に金型成型される。ヒンジ部は、ベルマウスとドレンパンに平行な複数条の折り目を有する。折り目に沿ってヒンジ部を折り曲げることで、ベルマウス下端部とドレンパン上面との間にヒンジ部が挟み込まれ、ドレンパン内にベルマウスを立設できる。
【図面の簡単な説明】
【００１１】
【図１】実施形態の、空気調和機の室内機を分解した斜視図。
【図２】同実施形態の、室内機の外観斜視図。
【図３】同実施形態の、室内機のエアフィルタを露出した状態の斜視図。
【図４】同実施形態の、室内機のベルマウスを露出した状態の斜視図。
【図５】同実施の形態に係る、ベルマウスとドレンパンとをヒンジ部を介して一体化構造とした正面図。
【図６】同実施形態の、ベルマウスとドレンパンをヒンジ部を介して一体化構造とした側面図と、特にヒンジ部を拡大して示す側面図。
【図７】同実施形態の、ドレンパンとベルマウスとの組立状態を示す斜視図。
【図８】同実施形態の、組立てられたドレンパンとベルマウスに対するドレン水の流れを説明する図。
【図９】同実施形態の、後本体の斜視図。
【図１０】同実施形態の、互いに斜視方向が異なる後本体一部を拡大した斜視図。
【図１１】同実施形態の、組立てられた室内機内部の一部を拡大した斜視図。
【図１２】同実施形態の、室内機の横断平面図。
【図１３】同実施形態の、後本体に対するケーシングの取付け構造を説明する斜視図。
【発明を実施するための形態】
【００１２】
以下、実施の形態について、図面を参照して説明する。  
図１は、たとえば、床置きタイプとして用いられる空気調和機の室内機を分解した斜視図である。  
図中１は、背面外観部品としての後本体であり、この後本体１は前面が開口され、左右両側壁と上面壁を有する背面板１Ａと、この背面板１Ａの下端部に一体に形成される底板１Ｂとからなる。底板１Ｂが被空調室の床面に載置され、背面板１Ａが被空調室の壁面に近接するようにして設置される。
【００１３】
上記後本体１の前面で、図における右側部と間隙を存して仕切り板部１Ｃが設けられ、この仕切り板部１Ｃと上下面部および左側面部との間に、断熱材からなるケーシング２が取付けられる。そして、このケーシング２を介して上記後本体１に室内送風機３が取付けられる。
【００１４】
上記室内送風機３は、ケーシング２を介して後本体１の略中央部に取付けられる取付け部３ａと、この取付け部３ａにモータ固定板３ｂを介して固定されるモータＭと、このモータＭの回転軸に嵌着されるファンＦとからなる。上記ファンＦは、軸方向から空気を吸込んで周方向へ吹出す、いわゆるターボファンである。
【００１５】
室内送風機３の前面側にはベルマウス４が配置され、さらにこのベルマウス４の前面側に室内熱交換器５が配置される。室内熱交換器５の下部にはドレンパン６が設けられる。図１においては、上記ドレンパン６は上記ベルマウス４と別体にして描いているが、後述するように、ドレンパン６とベルマウス４は一体に成型されるものである。
【００１６】
上記室内熱交換器５の前面側には前面外観部品を構成する前パネル７が配置される。この前パネル７は後本体１の前面開口部に嵌め込まれていて、前パネル７と後本体１との間に上記室内送風機３、ベルマウス４、室内熱交換器５が収容されることになる。
【００１７】
前パネル７の上端部には上部パネル７ａが取付けられ、この上部パネル７ａには水平ルーバー８が嵌め込まれる上部吹出し口９が設けられる。前パネル７の下端部には、縦ルーバー１０を備え、桟部が嵌め込まれた下部吹出し口１１が設けられる。  
前パネル７における上部パネル７ａと下部吹出し口１１との間には、図の右側面部と間隙を存して平行に仕切り板１２が設けられるとともに、仕切り板１２と左側面部との間に桟部１３が設けられる。
【００１８】
前パネル７が後本体１に嵌め込まれた状態で、前パネル７の仕切り板１２が後本体１の仕切り板部１Ｃに重なり合う。前パネル７の右側面部と仕切り板１２との間の空間部に電気部品箱１４が収容され、この電気部品箱１４の上端部には表示部１５が載設される。
【００１９】
前パネル７の桟部１３には、エアフィルタ１６が取付けられる。さらに、前パネル７の前面にグリル１７が取付けられ、電気部品箱１４および、これを収容する空間部と、エアフィルタ１６が遮蔽される。前パネル７に上記グリル１７を嵌め込んだ状態で前面外観部品を構成する。
【００２０】
上記グリル１７の上下方向の略中央部には、この幅方向全長に亘って吸込み口１８が設けられる。したがって、上部パネル７ａと表示部１５および下部吹出し口１１はそのまま露出している。このようにして室内機本体Ｓは、背面外観部品である後本体１に、前面外観部品であるグリル１７と前パネル７を嵌め込んだ状態で構成されることになる。
【００２１】
図２は、上記室内機の外観を示す斜視図である。  
室内機本体Ｓとして、前パネル７の上端部である上部パネル７ａと、下端部である下部吹出し口１１に沿う部分のみ傾斜形成され、それ以外の各面は平面状をなす。後本体１を構成する背面板１Ａは上面と左右各面ともに平面状をなす。したがって、室内機本体Ｓとして組立てられた状態で、前後方向に薄い略箱型状になる。
【００２２】
上部パネル７ａに、上部吹出し口９と表示部１５が並設される。上部吹出し口９に設けられる水平ルーバー８には駆動モータが連結され、冷房運転と暖房運転時に回動駆動されて冷風と温風の上下吹出し方向を可変する。表示部１５には、設定温度・室温・運転条件等を表示するＬＥＤ・ランプ類・操作スイッチ類が備えられる。
【００２３】
前パネル７の左右両側面部と後本体１の左右両側面部との合せ目に間隙部が形成されていて、これら間隙部で上下方向に長い側面吸込み口２０が開口される。したがって、室内機本体Ｓとして前面と両側角部に吸込み口１８，２０を備え、前面上部と前面下部に吹出し口９，１１を備えることになる。
【００２４】
図３は、図１に示す室内機本体Ｓから前パネル７とグリル１７を取外し、エアフィルタ１６を露出させた状態の斜視図である。  
上記エアフィルタ１６は、後本体１に着脱自在に取付けられ、上部吹出し口９と下部吹出し口１１の左右幅方向寸法と略同一の幅寸法に形成される。エアフィルタ１６の上端部は室内熱交換器５の上端部と略同一に揃えられ、下端部はドレンパン６の前面壁に当接して室内熱交換器５を覆う。
【００２５】
上記室内熱交換器５は、互いに狭小の間隙を存して並設されるフィンと、これらフィン間を貫通し、かつ左右両側部において曲成し、蛇行する冷媒管Ｐとからなる。上記フィンの左右両端板相互間の寸法がエアフィルタ１６の左右幅方向の寸法と略同一であり、端板およびエアフィルタ１６の左右側縁から冷媒管Ｐの曲成部が突出する。
【００２６】
このような室内熱交換器５はドレンパン６上に載置され、接続配管を介して屋外に配置される室外機と冷凍サイクルを構成するよう接続される。上述したように、室内熱交換器５はフィンおよびフィンの両側部から突出し曲成する冷媒管Ｐから構成されるが、これらフィンと冷媒管全てが、ドレンパン６の上面開口部の上方投影圏内に入る。
【００２７】
下部吹出し口１１に設けられる縦ルーバー１０は、略中央部に設けられる中間板ａの左右両側に複数枚ずつ２組設けられている。それぞれの組の縦ルーバー１０は駆動モータに連結され、一斉に左右方向の向きを変えて風向案内するようになっている。  
図４は、図３からエアフィルタ１６と室内熱交換器５を取外し、ベルマウス４を露出した状態の斜視図である。
【００２８】
上記ドレンパン６上に、ベルマウス４の下端部が載置され、後本体１に設けられる仕切り板部１Ｃの下端一部が突出する。上述したように、ドレンパン６の上面開口部内に室内熱交換器５の下端部が収容され、さらに、ベルマウス４の下端部が収容され、仕切り板部１Ｃの下端一部が突出することになる。
【００２９】
上記ベルマウス４は、上面部と左右両側部に設けられる枠部を除いて平板状に形成され、この平板状部分の略中央に円形状の開口部４ａが設けられる。さらに、円形状開口部４ａの周縁に沿ってガイドリブ４ｂが一体に突設される。このガイドリブ４ｂは、ベルマウス４の背面側に配置される室内送風機３と対向するよう突出している。
【００３０】
ベルマウス４に設けられる円形状開口部４ａと室内送風機３のファンＦとは対向する位置にあり、円形状開口部４ａに設けられるガイドリブ４ｂ先端の直径とファンＦの直径とは略同一に形成される。
【００３１】
ベルマウス４の上部枠部は室内熱交換器５およびエアフィルタ１６の上端部と同一位置にあり、ベルマウス４の左右両側の枠部は室内熱交換器５およびエアフィルタ１６の左右両側部と同一位置にある。しかも、上述したようにベルマウス４の下端縁はドレンパン６上に載る。
【００３２】
すなわち、ベルマウス４全周縁部は後本体１とドレンパン６に密接して、隙間が全く存在しない。室内送風機３を駆動すれば、ファンＦの軸方向に沿って吸込まれる空気の全てはベルマウス４の円形状開口部４ａに集中して導かれ、ベルマウス４の周縁部から漏れることはない。
【００３３】
このようにして空気調和機の室内機が構成されている。空調運転開始の指示が入ると、図示しない室外機に備えられる圧縮機が駆動され、冷凍サイクル作用が行われるとともに、室内送風機３が駆動される。
【００３４】
室内送風機３の駆動により、室内空気は前面の吸込み口１８と、側面吸込み口２０から室内機本体Ｓ内に吸込まれ、エアフィルタ１６を流通して濾過される。そして、ベルマウス４に案内されて室内熱交換器５に導かれ、冷媒管Ｐを流通する冷媒と熱交換する。熱交換した空気は上部吹出し口９と下部吹出し口１１とから室内へ吹出される。
【００３５】
暖房運転を指示すれば、室内熱交換器５で熱交換した暖気が室内へ吹出されて、室内の暖房作用をなす。冷房運転を指示すれば、室内熱交換器５で熱交換した冷気が室内へ吹出されて、室内の冷房作用をなす。
【００３６】
特に冷房運転時に、室内空気が室内熱交換器５と熱交換することで、室内空気に含まれる水分が凝縮し、ドレン水の水滴となって付着する。冷房運転を継続すれば水滴が肥大化し、流下してドレンパン６に溜まる。ドレンパン６に集溜されるドレン水はドレンホースを介して屋外へ排出される。
【００３７】
図５は、ベルマウス４とドレンパン６との一体構造物Ｋの正面図。図６（Ａ）はベルマウス４とドレンパン６の一体構造物Ｋの側面図であり、図６（Ｂ）はその一部を拡大した図である。  
ベルマウス４とドレンパン６は、金型成型装置により一体に成型されていて、図５および図６はその一体構造物Ｋの完成状態を示している。
【００３８】
ベルマウス４は、周縁に沿ってリブ４ｂが突設される円形状開口部４ａを備えた平板状部位の上端と左右両側に枠部ｂが形成されるが、この下端縁には枠部ｂが存在しない。ここでは、ベルマウス４の下端縁に一体に後述するヒンジ部Ｈの上端が連設されていて、このヒンジ部Ｈの下端にドレンパン６が一体に連設される。
【００３９】
上記ヒンジ部Ｈは薄板状のものであって、この左右幅寸法はベルマウス４およびドレンパン６の左右幅寸法よりも短い。また、ヒンジ部Ｈの上下寸法は、幅方向のどの位置においても全て同一であり、したがってベルマウス４下端縁に対してドレンパン６はヒンジ部Ｈを介して平行に吊持状態にある。
【００４０】
このとき、ドレンパン６は左右両側部方向に長く、上下方向に短い矩形状の枠部と、前面が開口し、背面に底部が形成される皿状となっている。ドレンパン６の背面側に、ドレンパン６が後本体１に支持されるための支持用杆部２１と、ドレンホースを接続するための接続口体２２が突出する。
【００４１】
特に、図６（Ｂ）に拡大して示すように、上記ヒンジ部Ｈには複数条（３条）の折り目１ｃ〜３ｃが設けられる。これら折り目１ｃ〜３ｃは互いに平行に設けられるとともに、ベルマウス４の下端縁およびドレンパン６と平行となるよう形成されている。  
ここでは最上部の折り目１ｃが、背面側から前面に向って断面略くの字状をなす切り込みである。また、中間部と最下部の折り目２ｃ，３ｃが、前面から背面側に向って断面略くの字状をなす切り込みとなっている。
【００４２】
このようにして、ベルマウス４とドレンパン６はヒンジ部Ｈと一体構造物Ｋとして成型される。特に図示していないが、この一体構造物Ｋを金型成型する際は、図５の前後方向であり、図６（Ａ）の左右方向に、２つの金型を重ね合わせ、これら金型間に形成される空間部（キャビティ）内に溶融した樹脂材を注入し、充填する。
【００４３】
所定時間放置して、樹脂材を冷却させれば、樹脂材は凝固する。そのあと、例えば図５の手前側の金型、すなわち図６の左側の金型を、相手側の金型とは離間する方向に移動する（抜く）。このことで、ヒンジ部Ｈを介して連設されるベルマウス４とドレンパン６の一体構造物Ｋを金型から取り出せる。
【００４４】
ドレンパン６は図５に示す正面視で、前面側に開口部を有する皿状に形成されることになり、ベルマウス４およびドレンパン６ともに、金型の抜き方向に対して直角方向に突出する部分がない。したがって、何らの支障もなく金型を抜くことができる。
【００４５】
図７は、ドレンパン６にベルマウス４を組み込んだ状態を示す斜視図である。  
先に説明したようにベルマウス４とドレンパン６を、ヒンジ部Ｈを介して一体構造物Ｋとして製作する。そのうえで、ドレンパン６の開口部を上面に向けて水平状態の皿状となし、ヒンジ部Ｈを折り目１ｃ〜３ｃに沿って折り、ベルマウス４を立位状態にしてドレンパン６内に収容する。
【００４６】
すなわち、ベルマウス４の下端部をドレンパン６の背面側壁面に密接させ、ベルマウス４とドレンパン６前面側壁面との間に室内熱交換器５を収容するスペースを確保する。この状態で、ドレンパン６の左右幅方向の両側壁とベルマウス４の左右幅方向の両側部との間には隙間ｇが形成される寸法設定となっている。
【００４７】
折り畳まれたヒンジ部Ｈの一部は、ベルマウス４とドレンパン６との間に挟み込まれる。ここでは挟み込み部分は見えないが、ヒンジ部Ｈの一部はドレンパン６の背面壁上に露出する。すなわち、ヒンジ部Ｈのベルマウス４との連設部分は見えないが、ヒンジ部Ｈのドレンパン６との連設部分が露出する。
【００４８】
図８は、ベルマウス４およびドレンパン６の一部と、これらの間に折り畳まれるヒンジ部Ｈを拡大して示す断面図である。  
上記ドレンパン６は、組立てた状態で背面壁６ａとなる部位と、この背面壁６ａと間隙を存して平行に内壁６ｂとなる部位が成型されている。特に図示していないが、内壁６ｂの左右幅方向寸法は上記ベルマウス４の左右幅方向寸法と略同一に形成されていて、内壁６ｂの左右両側部と背面壁６ａの左右両側部との間にはある程度の間隙を存している。
【００４９】
ベルマウス４の下端部は、ドレンパン６の背面壁６ａと内壁６ｂとの間隙に挿入され、位置決めされる。この状態でヒンジ部Ｈに設けられる折り目１ｃ〜３ｃは、ドレンパン６背面壁６ａの角部と、背面壁６ａとベルマウス４下端部との間と、背面壁６ａと内壁６ｂとを連結する底壁６ｃ上にて折り曲げられる。
【００５０】
特に、冷房運転時にはベルマウス４に冷気が当り、この背面側の空気が凝縮して結露する。時間の経過とともに肥大化し、ドレン水となって流下する。図８に矢印で示すように、ベルマウス４背面に流下するドレン水は、ベルマウス４下端部とドレンパン６の背面壁６ａとの隙間に導かれる。
【００５１】
そして、図７に示すように、ベルマウス４の両側部とドレンパン６の両側部との間に形成される間隙部ｇに導かれ、さらにはドレンパン６の内壁６ｂ内において室内熱交換器５から流下するドレン水と合流する。結局、ベルマウス４に付着し流下するドレン水が室内機本体Ｓから漏れて床面を濡らすような事故の発生する余地はない。
【００５２】
図９は、後本体１のみを示す斜視図である。  
上述したように後本体１は、背面板１Ａと底板１Ｂが一体に形成され、特に右側面部と間隙を存した内部に仕切り板部１Ｃが一体に設けられる。仕切り板部１Ｃと右側面部との空間部１Ｄに、ここでは図示しない電気部品箱１４と表示部１５が配置される。
【００５３】
空間部１Ｄの下部にドレン水回収用棚部（以下、「回収棚」と呼ぶ）２３が設けられる。回収棚２３は底板１Ｂの上方部位にあり、ある程度の間隙を存している。そして、回収棚２３は空間部１Ｄを全て閉塞するのではなく、背面板１Ａと仕切り板部１Ｃの全長に亘る部位と、右側面部の一部のみに沿って設けられる。
【００５４】
図１０（Ａ）（Ｂ）は、回収棚２３を互いに異なる角度から見た斜視図である。  
回収棚２３として、空間部の前面側に対して先細り状（「漏斗状」とも言う）に開放する排水部２４が設けられる。回収棚２３を形成する底面壁２３ａには、排水部２４の略中央部から背面板１Ａに亘って溝部２５が形成される。底面壁２３ａは、この溝部２５から左右両側部に亘って徐々に上方に傾斜する傾斜面となっている。
【００５５】
すなわち、回収棚２３の底面壁２３ａは、仕切り板部１Ｃと右側面部とに連設される両側部が最も高く、溝部２５に亘って徐々に下方に傾斜する。しかも、底面壁２３ａは背面板１Ａから排水部２４に向って下方に傾斜される。このことから、回収棚２３に落ちた全てのドレン水は傾斜に沿って溝部２５に導かれ、さらに排水部２４に導かれる。
【００５６】
回収棚２３の空間部１Ｄと対向する端縁に沿って壁部２３ｂが立上がり形成され、一部に内壁部２３ｃが設けられる。内壁部２３ｃは、仕切り板部１Ｃの略中間部から排水部２４壁面に亘り、これらと間隙を存して設けられる。さらに、後本体１の右側部から回収棚２３の壁部２３ｂに沿って排水部２４壁面に亘り、これらと間隙を存して設けられる。
【００５７】
図１１は、組立てられた室内機本体Ｓの、特に回収棚２３と、その周辺部を拡大して示す斜視図である。  
回収棚２３に設けられる排水部２４は、室内熱交換器５を構成する冷媒管Ｐとドレンパン６の側壁部との間に延出され、ドレンパン６内部に臨ませられる。回収棚２３の上方部位には、先に説明した電気部品箱１４が位置し、かつ室内熱交換器５の冷媒管Ｐに接続する配管部ＰＡの少なくとも一部が位置する。
【００５８】
配管部ＰＡの先端には接続具２７が取付けられ、この接続具２７は回収棚２３と対向しない空間部１Ｄに位置する。すなわち、室外機から延出される冷媒管が室内機本体Ｓ内に挿入され、さらに空間部１Ｄを介して上記接続具２７に連結され、配管部ＰＡおよび室内熱交換器５を構成する冷媒管Ｐと連通する。
【００５９】
図１２は、室内機本体Ｓの横断平面図であり、室内熱交換器５等の内部構成部品一部は省略している。  
室内機本体Ｓの右側部に設けられる回収棚２３の上方部位に、冷凍サイクル構成部品である電子膨張弁２８が配置される。
【００６０】
冷房運転時に室内熱交換器５で熱交換した冷気の一部が空間部１Ｄに回り込んで電子膨張弁２８に接触し、ここに結露が生じて滴下することがある。滴下したドレン水は回収棚２３の底面壁２３ａ上に溜まり、さらには傾斜に沿って導かれる。そして、回収棚２３のドレン水は排水部２４から排水され、ドレンパン６内に集溜する。
【００６１】
特に図１０（Ａ）（Ｂ）に拡大して示すように、回収棚２３を形成する壁部２３ｂに対し間隙を存して内壁部２３ｃが設けられている。したがって、回収棚２３にドレン水が溜まった状態にあっても、壁部２３ｂの表面に結露が生じることはなく、室内機本体Ｓの配置部周辺を濡らす虞れはない。
【００６２】
図１３は、後本体１に取付けられるケーシング２の斜視図である。  
ケーシング２は取付け具であるネジ３０をもって後本体１に取付けられる。室内機の機種によっては、図１３に示す形状構造のケーシング２ではなく、別の形態のケーシングを取付ける必要がある。ただし、後本体１は同一のものを用いる。
【００６３】
すなわち、後本体１を共通とし、ケーシング２を交換して取付けるのに、ケーシング２を取付けるためのネジ３０と、取付け位置である後本体１のネジ孔の位置とを共通とすることで、形態の異なるケーシングの組替えが容易に行える。
【００６４】
なお、上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【００６５】
この実施形態によれば、ヒンジ部Ｈを介してベルマウス４とドレンパン６を一体に金型成型することで、金型設計の容易化を図り、コストの低減に寄与する。組立状態においてベルマウス４とドレンパン６との間にヒンジ部Ｈを挟み込むので、ベルマウス４とドレンパン６との隙間を完全に塞ぎ、熱交換空気の漏れを防止して、熱交換効率の向上を得る。
【００６６】
さらに、この実施形態によれば、ドレンパン６内にベルマウス４を立設するので、ベルマウス４に付着し流下する全てのドレン水を、ドレンパン６において回収できる。したがって、室内機本体Ｓ周辺へドレン水が漏れて濡れるようなことはなく、信頼性の向上を得られる。
【符号の説明】
【００６７】
１８…前面吸込み口、Ｓ…室内機本体、５…室内熱交換器、４…ベルマウス、３…室内送風機、６…ドレンパン、１ｃ〜３ｃ…折り目、Ｈ…ヒンジ部。
【図１】
2011247546.tif 000003
【図２】
2011247546.tif 000004
【図３】
2011247546.tif 000005
【図４】
2011247546.tif 000006
【図５】
2011247546.tif 000007
【図６】
2011247546.tif 000008
【図７】
2011247546.tif 000009
【図８】
2011247546.tif 000010
【図９】
2011247546.tif 000011
【図１０】
2011247546.tif 000012
【図１１】
2011247546.tif 000013
【図１２】
2011247546.tif 000014
【図１３】
2011247546.tif 000015